(57)【要約】      （修正有）【課題】複雑な構造の回路や高価な装置を設けることなく、高起電力電池と安価なモータを併用した場合であっても、過電流によるモータの故障を防止できる携帯用扇風機を提供する。【解決手段】羽部を有するファン３を回転するモータ４と、モータ４を駆動する電力源５とを直列状態に接続してなる電気回路を本体２内に内蔵する携帯用扇風機１であって、モータ４と電力源５との間に、抵抗６１及び／又はインダクタ６２を設けてなる。モータ４と並列状態にキャパシタ６３を設けてなる。【選択図】図４
0003112868.tif 000002
【実用新案登録請求の範囲】
【請求項１】
羽部を有するファンを回転させるモータと、該モータを駆動する電力源とを直列状態に接続してなる電気回路を本体内に内蔵する携帯用扇風機であって、前記モータと電力源との間に、抵抗及び／又はインダクタを設けてなることを特徴とする携帯用扇風機。
【請求項２】
羽部を有するファンを回転させるモータと、該モータを駆動する電力源とを直列状態に接続してなる電気回路を本体内に内蔵する携帯用扇風機であって、前記モータと並列状態にキャパシタを設けてなることを特徴とする携帯用扇風機。
【請求項３】
前記モータと電力源との間に、インダクタ又は抵抗を設けてなることを特徴とする請求項２記載の携帯用扇風機。
【請求項４】
前記抵抗がニクロム線からなるコイル部材であることを特徴とする請求項１又は３に記載の携帯用扇風機。
【請求項５】
前記インダクタがアキシャルリードインダクタであることを特徴とする請求項１又は３に記載の携帯用扇風機。
【請求項６】
前記キャパシタがセラミックコンデンサであることを特徴とする請求項２乃至５のいずれかに記載の携帯用扇風機。
【請求項７】
前記羽部が軟質発泡樹脂からなることを特徴とする請求項１乃至６のいずれかに記載の携帯用扇風機。
【請求項８】
本体外側に吊り下げ具を設けてなることを特徴とする請求項１乃至７のいずれかに記載の携帯用扇風機。
【請求項９】
前記吊り下げ具がネックストラップであり、該ストラップと本体との間に一定量以上の荷重が掛かった際にストラップが本体から外れることを特徴とする請求項８記載の携帯用扇風機。
【請求項１０】
前記吊り下げ具がネックストラップであり、該ストラップに一定量以上の荷重が掛かった際に、ストラップが開放することを特徴とする請求項８記載の携帯用扇風機。
【請求項１１】
液体を貯留する液体貯留部と、該液体貯留部内の液体を外部に放出する噴出口と、押圧部の操作で可動して前記液体貯留部内の液体を噴出口から噴霧するポンプとからなる噴霧機構を備えることを特徴とする請求項１乃至１０のいずれかに記載の携帯用扇風機。
【請求項１２】
前記噴出口が、ファンの回転軌道内の羽部裏側に位置することを特徴とする請求項１１記載の携帯用扇風機。
【考案の詳細な説明】
【技術分野】
【０００１】
本考案は、携帯用扇風機に関する。更には、駆動源として乾電池を使用する携帯用扇風機に関する。
【背景技術】
【０００２】
従来より、軽量化による携帯性を向上する目的で、駆動源として乾電池を使用する携帯用扇風機が提案されている（例えば、特許文献１参照）。
また、前記乾電池として、マンガン電池の他に起電力の高いアルカリ電池やオキシライド電池が汎用的に用いられている。
【特許文献１】特開２００１−５０１９０号公報
【考案の開示】
【考案が解決しようとする課題】
【０００３】
しかしながら、前記携帯用扇風機に安価なモータを用いた際に、前記アルカリ電池やオキシライド電池を使用した場合、電力量が高すぎるために扇風機を作動させることでモータが過電流により故障してしまうことがある。
【０００４】
本考案は、複雑な構造の回路や高価な装置を設けることなく、高起電力電池と安価なモータを併用した場合であっても、過電流によるモータの故障を防止できる携帯用扇風機を提供するものである。
【課題を解決するための手段】
【０００５】
本考案は、羽部を有するファンを回転させるモータと、該モータを駆動する電力源とを直列状態に接続してなる電気回路を本体内に内蔵する携帯用扇風機であって、前記モータと電力源との間に、抵抗及び／又はインダクタを設けてなることを要件とする。
更に、羽部を有するファンを回転させるモータと、該モータを駆動する電力源とを直列状態に接続してなる電気回路を本体内に内蔵する携帯用扇風機であって、前記モータと並列状態にキャパシタを設けてなること、前記モータと電力源との間に、インダクタ又は抵抗を設けてなることを要件とする。
更に、、前記抵抗がニクロム線からなるコイル部材であること、前記インダクタがアキシャルリードインダクタであること、前記キャパシタがセラミックコンデンサであること、前記羽部が軟質発泡樹脂からなることを要件とする。
更に、本体外側に吊り下げ具を設けてなること、前記吊り下げ具がネックストラップであり、該ストラップと本体との間に一定量以上の荷重が掛かった際にストラップが本体から外れること、前記吊り下げ具がネックストラップであり、該ストラップに一定量以上の荷重が掛かった際に、ストラップが開放することを要件とする。
更には、液体を貯留する液体貯留部と、該液体貯留部内の液体を外部に放出する噴出口と、押圧部の操作で可動して前記液体貯留部内の液体を噴出口から噴霧するポンプとからなる噴霧機構を備えること、前記噴出口が、ファンの回転軌道内の羽部裏側に位置することを要件とする。
【考案の効果】
【０００６】
本考案の請求項１により、安価なモータを使用した扇風機に、高起電力を発する電池を用いたとしても、突発電流等の過電流がモータに直接流れることを抑制できるので、故障することなく長期間使用できる。
【０００７】
請求項２により、安価なモータを使用した扇風機に、高起電力を発する電池を用いたとしても、突発電流による過電流がモータに直接流れることを抑制できるので、故障することなく長期間使用できる。
【０００８】
請求項３により、電波を発するものの傍で使用しても、雑音が生じることを抑制できる。
【０００９】
請求項４により、安価に構成できる。
【００１０】
請求項５により、安価に構成できる。
【００１１】
請求項６により、安価に構成できる。
【００１２】
請求項７により、安全性が向上すると共に、より軽量化することができる。
【００１３】
請求項８により、利便性を付与できると共に、より携帯性の高いものとなる。
【００１４】
請求項９により、携帯性及び利便性を備えると共に、安全性をより高めることができる。
【００１５】
請求項１０により、携帯性及び利便性を備えると共に、安全性をより高めることができる。
【００１６】
請求項１１により、送風と共に液体噴霧が可能となるので、より冷却機能を高めることができる。
【００１７】
請求項１２により、広範囲への液体噴霧が可能となる。
【考案を実施するための最良の形態】
【００１８】
本考案の携帯用扇風機は、モータと電力源とを直列状態に接続してなる電気回路に受動素子を設けることにより、安価な簡易モータと高起電力を発する電池とを併用した場合においても、過電流によるモータの故障を生じることなく、長時間安定してファンを回転させることができるものである。
【００１９】
前記受動素子としては、モータに流れる電流量を一定範囲に抑制することができるものであれば抵抗、キャパシタ、インダクタ等汎用のものを用いることができるが、低コストで優れた効果を発揮することから、ニクロム線からなるコイル部材やアキシャルリードインダクタ、セラミックコンデンサ等が好適に用いられる。
【００２０】
前記電力源としては、コスト、携帯性及び重量の観点から乾電池が好適に用いられ、マンガン電池の他に、アルカリ電池やオキシライド電池等の高起電力を発するものも使用できる。
【００２１】
また、本体外部には、吊り下げ用のストラップやホルダを設けることも可能であり、より携帯性、保管性の高いものとすることができる。更に、前記ストラップやホルダには、携帯電話やポータブルテレビ、ポータブルラジオ等の電波を発生する装置を着脱可能に保持するための保持部を設けることもできる。その際、前記受動素子としてキャパシタと共にインダクタ又は抵抗を併用することで、電波を発生する装置に対して雑音障害が発生することを抑制できる。特に、キャパシタとインダクタとを併用したものが高い雑音防止効果を得ることができる。
【００２２】
更に、前記携帯用扇風機本体には、液体を保持する液体貯留部、押圧部及び噴出口を設けると共に、ポンプ機構を内蔵させることにより、噴霧機構を構成することもできる。
前記噴霧機構は、押圧部の操作によりポンプ機構を作動させ、液体貯留部内に保持される液体を噴出口から噴霧できるため、送風と共に液体噴霧が可能となり、より高い冷却効果を付与できる。その際、噴出口を羽部の裏側に配置することで、噴霧された液体が羽部に接触し、分散されるので、より広範囲に拡散できる。
【実施例】
【００２３】
本考案の実施例を以下の図面に従って説明する。
図１は本考案の携帯用扇風機の正面図であり、図２は該携帯用扇風機内に配置される電気回路の図である。
本考案の携帯用扇風機１は、羽部３１を備えたファン３を回転するモータ４と、該モータ４を駆動する電力源５とを直列に接続し、前記モータ４と電力源５との間に受動素子６として抵抗６１を介在させた電気回路を合成樹脂製の本体２に内蔵するものである。
【００２４】
前記受動素子６として用いられる抵抗６１は、ニクロム線からなるコイル部材であり、モータ４に流れる電流量を一定の範囲内に抑制するものである。
【００２５】
前記電力源５としては、高起電力を有するアルカリ電池やオキシライド電池等の乾電池を用いることができる。
【００２６】
前記本体２外部には、モータ４と接続されるファン３が配設されており、該ファン３には送風用の羽部３１が等間隔に三枚設けられている。前記羽部３１は発泡樹脂により形成されているので軽量であると共に、回転時に直接触れても安全なものに構成されている。
頂部には、ストラップ８等を接続できる取付部２４が設けられており、ストラップ８を介して扇風機１を保持できるので、より携帯性の高いものとなる。前記ストラップ８としては、首から提げて使用した際の安全性をより高めるために、強い加重で開放するタイプのネックストラップが用いられている。
また、本体２のファン３を有する部分を可動するように構成することで、送風角度の調整が容易にでき、より実用性の高いものとなる。
【００２７】
本体２外側背面に位置するスイッチ７を入れることにより電気回路が導通し、抵抗６１を通電することで過電流を生じることなく安定した量の電流をモータ４に供給できるため、該モータ４が過電流により故障することがなくなり、長時間ファン３を回転できる。
【００２８】
図３は本考案の携帯用扇風機の他の例を示す正面図であり、図４は該携帯用扇風機に内蔵される電気回路の回路図である。
携帯用扇風機１は、羽部３１を備えたファン３を回転するモータ４と、該モータ４を駆動する電力源５とを直列に接続し、受動素子６としてモータ４と電力源５との間にアキシャルリードインダクタ６２を介在させると共に、モータ４と並列にセラミックコンデンサ６３を設けた電気回路を合成樹脂製の本体２に内蔵するものである。
前記アキシャルリードインダクタ６２とセラミックコンデンサ６３とを回路内に併用することで、モータ４に通電する電流量を一定範囲内に抑制することができると共に、電波を発生する装置（携帯電話やラジオ等）の傍で使用しても、該装置に対して雑音障害が生じることを抑制できるものとなる。
【００２９】
前記本体２外部には、モータ４と接続されるファン３が配設されており、該ファン３には送風用の羽部３１が等間隔に三枚設けられている。前記羽部３１は発泡樹脂により形成されているので軽量であると共に、回転時に直接触れても安全なものに構成されている。
また、本体２の正面には、押圧部２２及び噴出口２３が設けられており、本体２の下部には、液体を保持する液体貯留部２１が着脱可能に配設されている。更に、本体２にはポンプが内蔵されており、前記押圧部２２を押圧することで液体貯留部２１内に保持される液体を噴出口２３から噴霧できる噴霧機構を構成している。
【００３０】
前記噴出口２３を、ファン３の回転軌道内側である羽部３１の裏側に位置するように本体２に設けることで、ファン３を回転させた状態で押圧部２２を操作した際、噴出口２３から噴霧される液体が羽部３１を通過することにより拡散され、より広域への液体噴霧が可能なものとなる。
【００３１】
また、本体２の頂部には、ストラップ８等を接続できる取付部２４が設けられており、該取付部２４には、首から提げて使用した際の安全性をより高めるために、取付部２４とストラップ８との間（接続部分）に強い張力（加重）が掛かった際、該接続部分が外れるタイプのネックストラップが用いられている。
【００３２】
本体２外側背面に位置するスイッチ７を入れることにより電気回路が導通し、受動素子６（６２、６３）を通電することで安定した量の電流をモータ４に供給できるため、該モータ４が過電流により故障することなく、長時間ファン３を回転できる。また、ファン３が回転した状態で押圧部２２を押圧することで、液体貯留部２１内に保持される液体を噴出口２３から噴霧でき、噴霧される液体が羽部３１を通過して広域に拡散される。
【図面の簡単な説明】
【００３３】
【図１】本考案の携帯用扇風機の一実施例を示す正面図である。
【図２】図１の携帯用扇風機内の電気回路図である。
【図３】本考案の携帯用扇風機の別の実施例を示す正面図である。
【図４】図３の携帯用扇風機内の電気回路図である。
【符号の説明】
【００３４】
１  携帯用扇風機
２  本体
２１  液体貯留部
２２  押圧部
２３  噴出口
２４  取付部
３  ファン
３１  羽部
４  モータ
５  電力源（乾電池）
６  抵抗体
６１  抵抗
６２  インダクタ
６３  キャパシタ
７  スイッチ
８  ストラップ
【図１】
0003112868.tif 000003
【図２】
0003112868.tif 000004
【図３】
0003112868.tif 000005
【図４】
0003112868.tif 000006